(57)【特許請求の範囲】
【請求項１】
リール本体を構成する左右のフレームと、
左右の前記フレームに取り付けられる左右の側板と、
左右の前記フレームに載置される表示手段と、
左右の前記側板の両方に備えられ、前記フレームに取り付けられる部分から前記表示手段の側部に向けて延出する延出部と、
両方の前記延出部にそれぞれ係合する係合部を有して、両方の前記延出部に亘って装着される規制部材と、を備え、
前記表示手段は、
両方の前記延出部の間に包持され、前記規制部材によって、当該延出部の間が離間する方向に拡がるのを規制されて当該延出部の間に固定されていることを特徴とする魚釣用リール。
【請求項２】
前記延出部には、これらの間から前記表示手段が抜けるのを規制する抜け止め規制部が設けられていることを特徴とする請求項１に記載の魚釣用リール。
【請求項３】
前記抜け止め規制部は、
前記延出部の縁部から前記表示手段へ向けて突出形成され、前記表示手段に係止される鍔部であることを特徴とする請求項２に記載の魚釣用リール。
【請求項４】
前記抜け止め規制部は、
前記延出部における前記表示手段との対向面に設けられ、前記表示手段に設けられた突出部が係合する受部、または、前記表示手段に設けられた凹部に係合する凸部であることを特徴とする請求項２に記載の魚釣用リール。
【請求項５】
前記延出部は、前記表示手段との対向面がその上部側に向けて窄まるように傾斜しており、
前記表示手段は、前記対向面に沿う傾斜した外面を備えていることを特徴とする請求項１に記載の魚釣用リール。
【請求項６】
リール本体を構成する左右のフレームと、
左右の前記フレームに取り付けられる左右の側板と、
左右の前記フレームに載置される表示手段と、
左右の前記側板の一方に備えられ、前記フレームに取り付けられる部分から前記表示手段の側部に向けて延出する延出部と、
左右の前記側板の一方に備えられた前記延出部と他方の前記側板とにそれぞれ係合する係合部を有して、一方の前記延出部と他方の前記側板とに亘って装着される規制部材と、を備え、
前記表示手段は、
一方の前記延出部と他方の前記側板との間に包持され、前記規制部材によって、一方の前記延出部と他方の前記側板との間が離間する方向に拡がるのを規制されて、一方の当該延出部と他方の当該側板との間に固定されていることを特徴とする魚釣用リール。
【請求項７】
前記規制部材は、前記リール本体の前部に設けられた釣糸挿通口に装着されるようになっており、当該釣糸挿通口の少なくとも一部を覆う指ガード用のカバーとして機能することを特徴とする請求項１から請求項６のいずれか１項に記載の魚釣用リール。
【発明の詳細な説明】
【技術分野】
【０００１】
本発明は、魚釣用リールに関する。
【背景技術】
【０００２】
従来、両軸型の魚釣用リールでは、スプールから繰り出される釣糸の糸長値等を表示することのできる表示手段としてのカウンターケースを備えたものが知られている。このカウンターケースは、単に水深や仕掛けの位置を数字等により表示するものから、リールの操作部や制御部を含むものも知られている。
カウンターケースは、一般的に、リール本体の左右のフレームに載置され、リール本体のフレームに対してねじ等の固定手段を用いて固定されている。
【０００３】
また、カウンターケースの固定手法としては、特許文献１に示されるように、カウンターケースの左右側部に凸部を設け、これを両側から側板で挟み込むことで固定するようにしたものが知られている。
この魚釣用リールによれば、カウンターケースの取付作業性の向上、取付構造の簡素化を図ることができる。
【先行技術文献】
【特許文献】
【０００４】
【特許文献１】特開２００７−２６７７２９号公報
【発明の概要】
【発明が解決しようとする課題】
【０００５】
前記したように、ねじ等の固定手段を用いてカウンターケースを固定するようにした魚釣用リールでは、フレームにねじ等の固定を行うための構造を設ける必要があり、また、フレームに装着される側板の形状もこれを考慮したものとする必要がある。このため、側板の外観やデザインに影響を与えてしまい、魚釣用リールの外観の自由度やデザインの自由度が制限されたり、組付性の自由度が制限されたりするおそれがあった。
【０００６】
また、特許文献１のように、カウンターケースを両側から側板で挟み込むようにした魚釣用リールでは、ねじ等を用いない、あるいは、ねじ等を用いても最小限の数とすることが可能であるが、カウンターケースと側板との部材間等に隙間が生じたり、組込性の自由度が制限されたりするおそれがあり、さらに、側板形状をフレーム形状に対応した形状にしてカウンターケースを挟み込む必要が生じる等、魚釣用リールの外観の自由度やデザインの自由度が制限されるおそれがあった。
【０００７】
本発明は、左右のフレームに表示手段が載置される魚釣用リールにおいて、外観の自由度やデザインの自由度を高めることができるとともに、組付性の自由度を高めることができる魚釣用リールを提供することを課題とする。
【課題を解決するための手段】
【０００８】
このような課題を解決する本発明の魚釣用リールは、リール本体を構成する左右のフレームと、左右の前記フレームに取り付けられる左右の側板と、左右の前記フレームに載置される表示手段と、左右の前記側板の両方に備えられ、前記フレームに取り付けられる部分から前記表示手段の側部に向けて延出する延出部と、両方の前記延出部にそれぞれ係合する係合部を有して、両方の前記延出部に亘って装着される規制部材と、を備え、前記表示手段は、両方の前記延出部の間に包持され、前記規制部材によって、当該延出部の間が離間する方向に拡がるのを規制されて当該延出部の間に固定されていることを特徴とする。
【０００９】
この魚釣用リールによれば、表示手段は、フレームに取り付けられる部分から表示手段の側部に向けて延出する延出部の間に挟持されて固定されているので、ねじ等の固定手段を用いて表示手段がフレーム等に固定されるものに比べて、取付構造の自由度が制限され難くなる。また、側板の形状を必ずしもフレームに対応させる必要がなくなるので、側板の形状の自由度も制限され難くなる。
【００１０】
また、本発明は、前記延出部には、これらの間から前記表示手段が抜けるのを規制する抜け止め規制部が設けられていることを特徴とする。
【００１１】
この魚釣用リールによれば、延出部に抜け止め機能をもたせているので、別途、抜け止めのための構造や部材等を設ける必要がなくなる。
【００１２】
また、本発明は、前記抜け止め規制部が、前記延出部の縁部から前記表示手段へ向けて突出形成され、前記表示手段に係止される鍔部であることを特徴とする。
【００１３】
この魚釣用リールによれば、延出部に突出形成された鍔部を表示手段に係止することによって、延出部の間から表示手段が抜けるのを好適に防止することができる。
【００１４】
また、本発明は、前記抜け止め規制部が、前記延出部における前記表示手段との対向面に設けられ、前記表示手段に設けられた突出部が係合する受部、または、前記表示手段に設けられた凹部に係合する凸部であることを特徴とする。
【００１５】
この魚釣用リールによれば、延出部における表示手段との対向面に設けられた受部に表示手段に設けられた突出部を係合することにより、または、延出部における表示手段との対向面に設けられた凸部を表示手段に設けられた凹部に係合することによって、延出部の間から表示手段が抜けるのを好適に防止することができる。
【００１６】
また、本発明は、前記延出部は、前記表示手段との対向面がその上部側に向けて窄まるように傾斜しており、前記表示手段は、前記対向面に沿う傾斜した外面を備えていることを特徴とする。
【００１７】
この魚釣用リールによれば、延出部における表示手段との対向面と表示手段の外面との傾斜を備えた当接によって、延出部の間から表示手段が抜けるのを好適に防止することができる。
【００１８】
また、本発明は、リール本体を構成する左右のフレームと、左右の前記フレームに取り付けられる左右の側板と、左右の前記フレームに載置される表示手段と、左右の前記側板の一方に備えられ、前記フレームに取り付けられる部分から前記表示手段の側部に向けて延出する延出部と、左右の前記側板の一方に備えられた前記延出部と他方の前記側板とにそれぞれ係合する係合部を有して、一方の前記延出部と他方の前記側板とに亘って装着される規制部材と、を備え、前記表示手段は、一方の前記延出部と他方の前記側板との間に包持され、前記規制部材によって、一方の前記延出部と他方の前記側板との間が離間する方向に拡がるのを規制されて、一方の当該延出部と他方の当該側板との間に固定されていることを特徴とする。
【００１９】
この魚釣用リールによれば、表示手段は、フレームに取り付けられる部分から表示手段の側部に向けて延出する一方の延出部と他方の側板との間に固定されているので、ねじ等の固定手段を用いて表示手段がフレーム等に固定されるものに比べて、取付構造の自由度が制限され難くなる。また、側板の形状を必ずしもフレームに対応させる必要がなくなるので、側板の形状の自由度も制限され難くなる。
【００２０】
また、本発明は、前記規制部材が、前記リール本体の前部に設けられた釣糸挿通口に装着されるようになっており、当該釣糸挿通口の少なくとも一部を覆う指ガード用のカバーとして機能することを特徴とする。
【００２１】
この魚釣用リールによれば、規制部材が釣糸挿通口の少なくとも一部を覆う指ガード用のカバーとして機能するので、指ガード用のカバーを別途設ける必要がなくなる。
【発明の効果】
【００２２】
本発明によれば、ねじ等の固定手段を用いて表示手段がフレーム等に固定されるものに比べて、取付構造の自由度が制限され難くなるので、フレームに表示手段が載置される魚釣用リールにおいて、外観の自由度やデザインの自由度を高めることができる。
また、規制部材により延出部の間が離間する方向に拡がることが規制されているので、部材間に隙間が生じたりすることを好適に防止することができるようになり、組付性も向上する。したがって、生産性が高まるとともに、高品位の魚釣用リールを製造することができる。つまり、側板等の寸法精度が高精度でなくても、隙間を生じることなく表示手段を挟持することが可能となり、ガタツキ等を排除して固定強度を高めることが可能となる。
また、隙間を生じることなく表示手段を挟持することが可能となるので、延出部を、例えば、弾性変形可能な部材で形成することによって、表示手段との密着性を高めることができるようになり、保持性が向上する。また、組付性も高まって生産性も向上する。
【００２３】
また、延出部に、表示手段が抜けるのを規制する抜け止め規制部が設けられている構成では、別途、抜け止めのための構造や部材等を設ける必要がなくなるので、抜け止めのための構造が簡単になり、組付性も高まる。これにより、コストを低減することができる。
【００２４】
さらに、抜け止め規制部が、鍔部で構成されたものは、延出部の縁部に鍔部を突出形成することで、抜け止め規制部を簡単に設けることができるので、外観の自由度やデザインの自由度を高めつつ、両方の延出部の間から表示手段が抜けるのを確実に防止することができる。
【００２５】
また、抜け止め規制部が、延出部において表示手段との対向面に設けられた受部、または凸部で構成されたものは、当該対向面に受部または凸部を形成することで、抜け止め規制部を簡単に設けることができるので、外観の自由度やデザインの自由度を高めつつ、両方の延出部の間から表示手段が抜けるのを確実に防止することができる。
【００２６】
またさらに、延出部における表示手段との対向面がその上部側に向けて窄まるように傾斜し、これらの対向面に沿う傾斜した外面が表示手段に備えられた構成では、延出部の対向面と表示手段の外面との傾斜によって、抜け止め規制部を簡単に構成することができ、外観の自由度やデザインの自由度を高めつつ、両方の延出部の間から表示手段が抜けるのを確実に防止することができる。
【００２７】
また、表示手段が、一方の延出部と他方の側板との間に固定されている構成では、ねじ等の固定手段を用いて表示手段がフレーム等に固定されるものに比べて、取付構造の自由度が制限され難くなるので、フレームに表示手段が載置される魚釣用リールにおいて、外観の自由度やデザインの自由度を高めることができる。
また、規制部材により一方の延出部と他方の側板との間が離間する方向に拡がることが規制されているので、部材間に隙間が生じたりすることを好適に防止することができるようになり、組付性も向上する。したがって、生産性が高まるとともに、高品位の魚釣用リールを製造することができる。つまり、側板等の寸法精度が高精度でなくても、規制部材によって、隙間を生じることなく表示手段を挟持することが可能となり、ガタツキ等を排除して固定強度を高めることが可能となる。
また、規制部材によって、隙間を生じることなく表示手段を挟持することが可能となるので、延出部を、例えば、弾性変形可能な部材で形成することによって、表示手段との密着性を高めることができるようになり、保持性が向上する。また、組付性も高まって生産性も向上する。
【００２８】
また、規制部材が釣糸挿通口の少なくとも一部を覆う指ガード用のカバーとして機能する構成では、指ガード用のカバーを別途設ける必要がなくなるので、部品点数の増加やそれに伴う重量の増大を好適に抑えることができ、さらには、製造工数の増加も抑制することができる。このことはコストの低減に寄与する。
【図面の簡単な説明】
【００２９】
【図１】本発明の第１実施形態に係る魚釣用リールを示す図であり、（ａ）は正面図、（ｂ）は上面図である。
【図２】（ａ）は左側面図、（ｂ）は右側面図である。
【図３】（ａ）は後面図、（ｂ）は内部構造を模式的に示した上面図である。
【図４】フレームと側板との分解斜視図である。
【図５】前板を示す図であり、（ａ）は上面図、（ｂ）は正面図、（ｃ）は側面図、（ｄ）は組み付けた状態の側面図である。
【図６】カウンターケースを示す図であり、（ａ）は上面図、（ｂ）は正面図（縦向きで表示）、（ｃ）は後面図（縦向きで表示）、（ｄ）は下面図、（ｅ）は側面図、（ｆ）は断面図である。
【図７】（ａ）はカウンターケースの挟持状態を示す縦断面図、（ｂ）は同じく図７（ａ）のＡ−Ａ線に沿う横断面図、（ｃ）は右側板の先端内面を示す側面図である。
【図８】（ａ）〜（ｃ）は組付手順を示す説明図である。
【図９】本発明の第２実施形態に係る魚釣用リールを示す図であり、（ａ）はカウンターケースの挟持状態を示す縦断面図、（ｂ）は同じく図９（ａ）のＢ−Ｂ線に沿う横断面図である。
【図１０】本発明の第３実施形態に係る魚釣用リールを示す図であり、（ａ）はカウンターケースの挟持状態を示す縦断面図、（ｂ）は同じく図１０（ａ）のＣ−Ｃ線に沿う横断面図である。
【図１１】規制部材のその他の例を示す図であり、（ａ）は斜視図、（ｂ）は図１１（ａ）のＤ−Ｄ線に沿う横断面図である。
【発明を実施するための形態】
【００３０】
以下、本発明に係る魚釣用リールの実施形態について図面を参照して説明する。各実施形態において、同一の部分には同一の符号を付し、重複する説明は省略する。なお、以下の実施形態においては、魚釣用リールとして電動リールを例示するが、本発明に係る魚釣用リールを限定する趣旨ではなく、電動モータを内蔵していない両軸型の魚釣用リールにも好適に適用することができる、ここで、以下の説明において、「前後」「左右」「上下」を言うときは、図１に示した方向を基準とする。
【００３１】
（第１実施形態）
図１（ａ）（ｂ）に示すように、魚釣用リールは、後記する電動モータＭや減速機構Ｇ等（図３（ｂ）参照）が設けられるフレーム２と、このフレーム２を覆うように配設される側板３とを備えたリール本体１を有している。リール本体１の上面前部には、表示手段としてのカウンターケース２０が載置（配置）されている。
【００３２】
フレーム２は、リール本体１の骨格をなす部分であり、左フレーム２ａ、右フレーム２ｂ、およびスプール４の前方に配設される前フレーム２ｃ（図１（ａ）、図４参照）を備えてなる。これらの左フレーム２ａ、右フレーム２ｂ、前フレーム２ｃは、全体として一体に形成されている。なお、各左フレーム２ａ、右フレーム２ｂ、前フレーム２ｃを別体に形成して、固定手段等により一体化してもよいし、部分的に一体に形成してもよい。
【００３３】
左右フレーム（左右のフレーム）２ａ，２ｂは、図４に示すように、略板状を呈しており、これらの間には、釣糸が巻回されるスプール４（図１（ｂ）参照、以下同じ）が回転自在に支持されている。左右フレーム２ａ，２ｂの外側面には、側板３を構成する左側板３ａ，右側板３ｂ（左右の側板）がそれぞれ装着される。左フレーム２ａと左側板３ａとの間には、端子部Ｔやクラッチ機構Ｃ等（図３（ｂ）参照）の構成部材が取り付けられ、また、右フレーム２ｂと右側板３ｂとの間には、動力伝達機構Ｄ（図３（ｂ）参照）等の構成部材が取り付けられる。
左フレーム２ａの後部側には、スプール４を支持するスプール軸５（図３（ｂ）参照）が挿通される挿通孔５ａが形成され、また、右フレーム２ｂには、スプール４が挿通配置される挿通孔４ｂが形成されている。
また、左右フレーム２ａ，２ｂ間には、図３（ａ）（ｂ）に示すように、クラッチレバー８が設けられている。
【００３４】
図４に示すように、左右フレーム２ａ，２ｂの上縁には、カウンターケース２０が載置される段差状の載置部６ａ，６ｂが形成されている。載置部６ａ，６ｂは、カウンターケース２０の後記する下面形状に対応した載置面を有しており、前後方向中央部分に形成された傾斜状の段差部６ａ１，６ｂ１を境にして、前部側の載置面に比べて後部側の載置面が一段高く形成されている。また、載置部６ａ，６ｂの後端部には、立上部６ａ２，６ｂ２が形成されている。
段差部６ａ１，６ｂ１には、カウンターケース２０の下面の段部２７ａ２，２７ｂ２（図６（ｄ）参照）が当接し、また、立上部６ａ２，６ｂ２には、カウンターケース２０の後端部２６ａ１，２６ｂ１（図６（ｄ）参照）が当接するようになっている。
【００３５】
載置部６ａ，６ｂの前端部には、前フレーム２ｃに装着される前板３ｃに対向する当接面６ａ３，６ｂ３が形成されている。この当接面６ａ３，６ｂ３には、前フレーム２ｃの左右後端に形成された当接部３３６ａ，３３６ｂがそれぞれ当接するようになっている。
【００３６】
左右フレーム２ａ，２ｂは、複数の図示しない支柱を介して一体化されており、図１（ａ）に示すように、下方の支柱２ｄには、図示しない釣竿のリールシートに装着されるリール脚２ｅが設けられている。
このような左右フレーム２ａ，２ｂ、前フレーム２ｃからなるフレーム２は、例えば、アルミニウム合金、マグネシウム合金等の金属材で形成することができる。
【００３７】
前フレーム２ｃは、左右フレーム２ａ，２ｂに開口部を有する略円筒状を呈しており、その内部には、電動モータＭ（図３（ｂ）参照、以下同じ）が収容されるようになっている。前フレーム２ｃは、その横断面形状が略小判形状とされており、収容される電動モータＭの外形状に対応したものとなっている。
前フレーム２ｃの上部外面２ｃ１は、平らに面取りされており、この上部外面２ｃ１と上方に配置されるカウンターケース２０の下面のカバー部材２０ｄ（図６（ｄ）参照）との間には、釣糸が挿通される釣糸挿通口Ｓ１（図１（ａ）参照、以下同じ）が形成される。上部外面２ｃ１は、リール本体１の前方へ向けて若干傾斜する下り傾斜状とされている。このように、上部外面２ｃ１を傾斜して形成することにより、図示しない釣竿の釣糸ガイドへ向けた釣糸の傾斜配置が可能となっている。
【００３８】
前フレーム２ｃに前板３ｃを装着した状態で、上部外面２ｃ１の前縁部２ｃ２には、前板３ｃの後端縁部３３７が位置するようになっており、上部外面２ｃ１と前板３ｃの案内面３３１ａ（図５（ａ）参照）とが連続するよう構成されている。
前フレーム２ｃの前端部には、左右フレーム２ａ，２ｂに亘るように、板状のリブ２ｃ３が一体的に形成されている。このリブ２ｃ３には、前板固定用のねじ孔２ｃ４，２ｃ４が形成されている。
【００３９】
側板３は、左フレーム２ａを覆う左側板３ａと、右フレーム２ｂを覆う右側板３ｂと、前フレーム２ｃを覆う規制部材としての前板３ｃと、を備え、釣人の手によって握持されたり、保持されたりする部分（釣人の手が接触する部分）となる。
左側板３ａ、右側板３ｂ、および前板３ｃは、個々に一体形成されており、左フレーム２ａ、右フレーム２ｂ、および前フレーム２ｃにそれぞれ装着されて、全体として一体化される。そして、後記するようにして、これらの左側板３ａ、右側板３ｂ、および前板３ｃと、フレーム２（左フレーム２ａ、右フレーム２ｂ）との間に形成される空間部にカウンターケース２０が収容されて（包持されて）固定されるようになっている。
【００４０】
左側板３ａおよび右側板３ｂは、左右フレーム２ａ，２ｂの載置部６ａ，６ｂに載置されたカウンターケース２０を、左右方向の両側から包持することのできる左右一対の延出部３１ａ，３１ｂを備えている。
延出部３１ａ，３１ｂは、左右フレーム２ａ，２ｂの上縁部から上方へ立ち上がりつつ前方へ向けてそれぞれ一体的に延出しており、フレーム２を左右方向に二分する仮想直線（図示せず）を挟んで左右対称な形状とされ、図１（ｂ）に示すように、上面視で基端側（後端側）に比べて先端側（前端側）が内方に向けてそれぞれ円弧状に湾曲する（円弧状に窄まる）舌片状を呈している（図４参照）。
【００４１】
延出部３１ａ，３１ｂには、図４に示すように、その上縁部３２ａ１，３２ｂ１から前縁部３２ａ２，３２ｂ２に沿って、鍔部３２ａ，３２ｂが形成されている。
鍔部３２ａ，３２ｂは、延出部３１ａ，３１ｂの内方となるカウンターケース２０側へ向けて一体的に突出形成されており、カウンターケース２０の左外側面２４ａおよび右外側面２４ｂに形成された後記する溝部２５ａ，２５ｂに対してそれぞれ係止されるようになっている（図６（ａ）（ｂ）参照）。つまり、鍔部３２ａ，３２ｂは、カウンターケース２０の溝部２５ａ，２５ｂに係止されてカウンターケース２０の移動（上方向への移動、前方向への移動）を規制し、延出部３１ａ，３１ｂの間からカウンターケース２０が抜けるのを規制する、抜け止め規制部として機能するようになっている。
【００４２】
また、延出部３１ａ，３１ｂの内面には、図４に示すように、鍔部３２ａ，３２ｂの下縁に沿うようにして、帯状の当接面３３ａ，３３ｂ（図７（ｃ）参照、当接面３３ｂのみを図示）が形成されている。このような当接面３３ａ，３３ｂは、カウンターケース２０の溝部２５ａ，２５ｂの下縁部２５ａ１，２５ｂ１（図６（ｂ）（ｅ）参照）に対応しており、組付時には、図７（ａ）に示すように、各下縁部２５ａ１，２５ｂ１に対してそれぞれ密着するようになっている。つまり、カウンターケース２０は、延出部３１ａ，３１ｂの鍔部３２ａ，３２ｂによる係止および当接面３３ａ，３３ｂによる密着によって、延出部３１ａ，３１ｂの間に挟持される（固定される）ようになっている。
【００４３】
一方、延出部３１ａ，３１ｂは、前記したように、上面視（図１（ｂ）参照）で基端側（後端側）に比べて先端側（前端側）が内方に向けてそれぞれ円弧状に湾曲しているので（円弧状に窄まっているので）、図７（ｂ）に示すように、カウンターケース２０の前端部において、鍔部３２ａ，３２ｂが溝部２５ａ，２５ｂに係止されることと相まって、カウンターケース２０の前方への抜けが好適に防止されている。
【００４４】
本実施形態では、図７（ａ）に示すように、延出部３１ａ，３１ｂが、カウンターケース２０の左右外側面２４ａ，２４ｂの下部に対して密着することなく、隙間を空けて対向配置されている。つまり、少なくともカウンターケース２０の上部部分において、延出部３１ａ，３１ｂが前記した鍔部３２ａ，３２ｂや当接面３３ａ，３３ｂを介して密着するように構成されている。
このように延出部３１ａ，３１ｂの内面の全てを密着することなく、カウンターケース２０の左右外側面２４ａ，２４ｂの下部に対して意図的に隙間を空けて延出部３１ａ，３１ｂを対向配置することによって、延出部３１ａ，３１ｂやカウンターケース２０の寸法精度の誤差を隙間によって吸収することができるようになり、カウンターケース２０に対する延出部３１ａ，３１ｂの接触圧（挟持圧）のばらつきを抑制することができる。これにより、延出部３１ａ，３１ｂとカウンターケース２０との密着性を確保することができる。したがって、延出部３１ａ，３１ｂやカウンターケース２０の寸法精度が高精度でなくても、隙間を生じることなくカウンターケース２０を挟持することが可能となり、ガタツキ等を排除して固定強度を高めることが可能となる。また、密着性を確保することができるので、水分等の侵入を好適に防止することができる。
なお、カウンターケース２０の左右外側面２４ａ，２４ｂの略全体（溝部２５ａ，２５ｂ等を含む）に、延出部３１ａ，３１ｂの内面略全体（鍔部３２ａ，３２ｂや当接面３３ａ，３３ｂを含む内面略全体）が密着するように構成してもよい。
【００４５】
延出部３１ａ，３１ｂは、図４に示すように、前縁部３２ａ２，３２ｂ２が側面視（図７（ｃ）参照、前縁部３２ｂ２のみ図示）で下り傾斜状に形成されており、先端部の下部には、下方へ向けて係合片３４ａ，３４ｂがそれぞれ突設されている。
係合片３４ａは、前板３ｃの後記する上部３３３の縁部内面３３３ａ（図５（ａ）参照）に係合されるようになっており、また、係合片３４ｂは、同じく、上部３３３の縁部内面３３３ｂ（図５（ａ）参照）に係合されるようになっている。つまり、延出部３１ａ，３１ｂは、それぞれの係合片３４ａ，３４ｂが前板３ｃの上部３３３の縁部内面３３３ａ，３３３ｂに係合されることで、相互の間隔が拡がる方向に開く（左右方向に開く）ことが規制されて延出部３１ａ，３１ｂの間に固定されている。ここで、縁部内面３３３ａ，３３３ｂは、特許請求の範囲における「係合部」に相当する。
また、図４に示すように、延出部３１ａ，３１ｂの後側には、カウンターケース２０の後端左右に設けられた円筒部２３ａ，２３ｂ（図６（ａ）参照）を覆うカバー部３６ａ，３６ｂがそれぞれ形成されている。
さらに、カバー部３６ａ，３６ｂの後側には、係合溝部３６ａ１，３６ｂ１が形成されている。この係合溝部３６ａ１，３６ｂ１には、カウンターケース２０の左右後端部に設けられた係合片２６ａ，２６ｂが係合されるようになっている。
【００４６】
このほか、左側板３ａには、速度切換スイッチ３７ａ（図１（ａ）（ｂ）参照）用の取付孔３７やハンドル軸７ｃ（図３（ｂ）参照）が挿通される軸孔３０ａが形成されており、軸孔３０ａには、ハンドル軸７ｃ（図３（ｂ）参照）がベアリング３０ａ１を介して回転自在に支持されている。また、左側板３ａには、ブレーキ調節つまみ３ａ１が回転可能に取り付けられている。
また、右側板３ｂには、前部下端に、給電用端子の設置孔３９が開口形成されている。
【００４７】
このような左側板３ａおよび右側板３ｂは、図示しないねじを左右フレーム２ａ，２ｂの内面に設けられたボス部（図４において右側板３ｂにおけるボス部３８ｂ１〜３８ｂ３のみ図示）に螺合することにより左右フレーム２ａ，２ｂにそれぞれ固定されるようになっている。
【００４８】
前板３ｃは、図５（ｃ）に示すように、側面視で略Ｚ形状を呈しており、図５各図に示すように、下部３１１と、支持部３３２ａ，３３２ｂと、上部３３３と、を有して構成され、これらによって囲われる開口Ｓ２を有している。開口Ｓ２は、前フレーム２ｃに前板３ｃを装着することによって、釣糸挿通口Ｓ１に挿通するようになっており（図１（ａ）参照）、釣糸挿通口Ｓ１の少なくとも一部を覆う指ガード用のカバーとして機能する。
なお、図１（ａ）に示すように、釣糸挿通口Ｓ１の後方には、レベルワインド機構を構成する釣糸ガイド２ｇが設けられている。
【００４９】
下部３１１は、図５（ｃ）に示すように、側断面略く字形状（一部破線で図示）を呈しており、前フレーム２ｃの前面（図４参照）を覆う状態に装着される（図１（ａ）参照）。下部３１１の後面下端には、前フレーム２ｃのリブ２ｃ３のねじ孔２ｃ４（図４参照）に対応する位置にボス部３３１ｃが設けられている。
【００５０】
支持部３３２ａ，３３２ｂは、下部３１１の左右両側部から後方斜め上方へ向けて立設されており、上端部には、後方へ向けて舌片状の当接部３３６ａ，３３６ｂが突出形成されている。この当接部３３６ａ，３３６ｂは、フレーム２に設けられた当接面６ａ３，６ｂ３（図５（ｄ）参照、一方のみ図示）に対して当接可能であり、前板３ｃは、この当接によって前フレーム２ｃの前部に位置決めされるようになっている。
位置決めされた状態で、左側の支持部３３２ａは、左側板３ａの延出部３１ａの前端下方に形成された傾斜部３５ａ（図４参照）の内側側方に位置してこれに接続されるようになっている。同様に、支持部３３２ｂは、右側板３ｂの延出部３１ｂの前端下方に形成された傾斜部３５ｂ（図４参照）の内側側方に位置してこれに接続されるようになっている。
【００５１】
上部３３３は、図５各図に示すように、支持部３３２ａ，３３２ｂの上端部に連続して設けられており、図５（ｄ）に示すように、カウンターケース２０の前端下部の装着部２８（図６（ｄ）参照）に当接可能な円弧状（図５（ａ）参照）に形成されている。上部３３３は、前縁部３３３ｃがリブ状に上方へ突出形成されており、図５（ａ）に示すように、前縁部３３３ｃの中央部分の縁部内面３３５ｄには、カウンターケース２０の後記する前端片２８ｃ，２８ｃ（図６（ｂ）（ｄ）参照）が係合可能となっている。また、前縁部３３３ｃの両側部分の縁部内面３３３ａ，３３３ｂには、左右側板３ａ，３ｂの延出部３１ａ，３１ｂに設けられた係合片３４ａ，３４ｂ（図４参照）がそれぞれ係合可能となっている。
【００５２】
上部３３３には、前縁部３３３ｃから後方へ延出された左右一対のフック部３３４，３３４が形成されている。このフック部３３４，３３４は、フック部分を上に向けて形成されており、カウンターケース２０の後記する係止溝２８ｅ，２８ｅ（図６（ｄ）（ｆ）参照）に対して弾力をもって係止可能となっている。
また、上部３３３には、中央後部に凹部３３８が形成されている。この凹部３３８には、カウンターケース２０の下面に設けられた後記する突部２８ｄ（図６（ｄ）参照）が係止されるようになっている。
つまり、前板３ｃは、下部３１１が前フレーム２ｃに固定されるとともに、上部３３３がカウンターケース２０の装着部２８に固定され、このように固定された状態で、係合片３４ａ，３４ｂを介して両方の延出部３１ａ，３１ｂに亘って装着され、延出部３１ａ，３１ｂの間が離間する方向に拡がるのを規制してカウンターケース２０を固定している。
【００５３】
カウンターケース２０は、図６（ａ）に示すように、上面視で前方へ向けて緩やかに窄まる先細り形状とされており、上面には、釣糸の送り出し量等を表示するカウント表示部２１や複数の操作ボタン２２が配置されている。カウンターケース２０の後部には、環状の操作レバー２３が軸方向を左右方向に向けて回動可能に設けられている。操作レバー２３の左右側部には、操作レバー２３の図示しない軸端を覆う円筒部２３ａ，２３ｂが形成されている。
カウンターケース２０の左右後端部には、係合片２６ａ，２６ｂが設けられている。この係合片２６ａ，２６ｂは、図４に示すように、左側板３ａおよび右側板３ｂのカバー部３６ａ，３６ｂの後方に設けられた係合溝部３６ａ１，３６ｂ１に係合されようになっており、左右フレーム２ａ，２ｂに左側板３ａおよび右側板３ｂを取り付けることによって、押圧保持されるようになっている。これにより、カウンターケース２０の後部が、左右フレーム２ａ，２ｂと左右側板３ａ，３ｂとの間に挟持されて、抜け止め保持されることとなる。
【００５４】
カウンターケース２０の左外側面２４ａには、図６（ｂ）（ｅ）に示すように、溝部２５ａが形成されており、右外側面２４ｂには、図６（ｂ）に示すように、溝部２５ｂが形成されている。溝部２５ａには、前記したように、左側板３ａの延出部３１ａに設けられた鍔部３２ａが係止可能であり、また、溝部２５ｂには、右側板３ｂの延出部３１ｂに設けられた鍔部３２ｂが係止可能である。つまり、溝部２５ａ，２５ｂに鍔部３２ａ，３２ｂがそれぞれ係止されることによって、カウンターケース２０は、上方向および前方向への移動がそれぞれ規制された状態で、左右側板３ａ，３ｂの延出部３１ａ，３１ｂに挟持されるようになっている。
【００５５】
また、左外側面２４ａおよび右外側面２４ｂには、図６（ａ）（ｂ）（ｅ）に示すように、側方へ向けて膨出する膨出部２４ａ１，２４ｂ２が設けられている。これらの膨出部２４ａ１，２４ｂ１は、左右側板３ａ，３ｂの内側面との間隔を狭めるスペーサ的な役割をなす。
【００５６】
カウンターケース２０の下面は、図６（ｄ）に示すように、平らなカバー部材２０ｄで水密に塞がれている。カウンターケース２０の組付時において、カバー部材２０ｄは、左右フレーム２ａ，２ｂの上縁の載置部６ａ，６ｂの前部側（段差部６ａ１，６ｂ１（図４参照）よりも前側）に位置して、これに載置されるようになっている。
なお、カバー部材２０ｄの左右両側部には、図示しないリードを保持するための枠状の保持部２９ａ，２９ｂが形成されている。本実施形態では、右側の保持部２９ｂにボス部２９ｃが一体的に設けられており、組付時には、このボス部２９ｃを利用して右側板３ｂにカウンターケース２０を予め組み付けておくようにしてもよい。
【００５７】
カバー部材２０ｄの前方には、カウンターケース２０の上部ヘ向けて凹設された装着部２８が形成されている。装着部２８には、前板３ｃの上部３３３（図５（ａ）参照、以下同じ）が装着されるようになっており、上部３３３の前縁部３３３ｃの縁部内面３３５ｄ（図５（ａ）参照、以下同じ）に係合可能な前端片２８ｃ，２８ｃが突出形成されている。
また、装着部２８には、上部へ向けてさらに凹設された係止溝２８ｅ，２８ｅが形成されている。これらの係止溝２８ｅ，２８ｅには、前板３ｃの前縁部３３３ｃから後方へ延出された左右一対のフック部３３４，３３４が係止可能である。
【００５８】
装着部２８の後部には、カバー部材２０ｄの前端部に設けられた突部２８ｄが位置しており、この突部２８ｄは、前板３ｃの上部３３３（図５（ａ）参照）に形成された凹部３３５（図５（ａ）参照）に係止可能である。カウンターケース２０の前端部は、前板３ｃの凹部３３５に突部２８ｄが係止されることで、また、前記した前端片２８ｃ，２８ｃの係止やフック部３３４，３３４の係止によって、ガタツキが抑えられた状態で両方の延出部３１ａ，３１ｂの間に保持されるようになっている。
【００５９】
カウンターケース２０の後部に配置される操作レバー２３は、下面側が金属製のカバー２７で覆われている。カバー２７は、カウンターケース２０の上部へ向けて凹設された左右側部２７ａ，２７ｂを有している。カウンターケース２０の組付時において、これらの左右側部２７ａ，２７ｂは、左右フレーム２ａ，２ｂの上縁の載置部６ａ，６ｂの後部側（段差部６ａ１，６ｂ１（図４参照）よりも後側）に位置して、これに載置される（左右方向の移動が規制された状態に載置される）ようになっている。
【００６０】
カウンターケース２０の内部には、図６（ｆ）に示すように、基板Ｐ１が収容されており、基板Ｐ１には表示部品２１ａや操作ボタン２２が接続されている。
【００６１】
次に、フレーム２に側板３を組み付ける際の手順について、図８を参照しつつ各図を参照して説明する。
まず、図８（ａ）に示すように、左右フレーム２ａ，２ｂに跨るようにして、カウンターケース２０を、載置部６ａ，６ｂ（図４参照、以下同じ）に載置する。このとき、カウンターケース２０の後端部２６ａ１，２６ｂ１（図６（ｄ）参照）を載置部６ａ，６ｂの立上部６ａ２，６ｂ２（図４参照）に当接させることで、カウンターケース２０を容易に位置決めすることができる。
【００６２】
左右フレーム２ａ，２ｂの載置部６ａ，６ｂに、カウンターケース２０を載置すると、カウンターケース２０の下面のカバー部材２０ｄ（図６（ｄ）参照）が載置部６ａ，６ｂの前部側（段差部６ａ１，６ｂ１（図４参照）よりも前側）に位置し、段差部６ａ１，６ｂ１（図４参照）を挟んで載置部６ａ，６ｂの後部側にカウンターケース２０の後部のカバー２７（図６（ｄ）参照）が位置する。そして、カウンターケース２０の後部側においては、カウンターケース２０の上部へ向けて凹設された左右側部２７ａ，２７ｂ（図６（ｄ）参照）に載置部６ａ，６ｂが係合した状態となり、これによって、カウンターケース２０の後端側は、左右方向の移動が抑えられた状態で左右フレーム２ａ，２ｂに載置されることとなる。
【００６３】
その後、図８（ｂ）に示すように、左右フレーム２ａ，２ｂに左右側板３ａ，３ｂをそれぞれ装着し、左右側板３ａ，３ｂの延出部３１ａ，３１ｂでカウンターケース２０を左右両側から包持する。この際、延出部３１ａ，３１ｂに設けられた鍔部３２ａ，３２ｂ（図４参照、以下同じ）をカウンターケース２０の左右外側面２４ａ，２４ｂ（図４参照）の溝部２５ａ，２５ｂ（図４参照）に対してそれぞれ係止する。これにより、カウンターケース２０は、延出部３１ａ，３１ｂの鍔部３２ａ，３２ｂによる係止および当接面３３ａ，３３ｂ（図４参照）による密着によって、延出部３１ａ，３１ｂの間に挟持される（図７（ａ）参照）。
【００６４】
次に、図８（ｃ）に示すように、前フレーム２ｃに前板３ｃを装着する。装着に際しては、前板３ｃを、左右側板３ａ，３ｂの前端部とカウンターケース２０の装着部２８（図６（ｄ）参照）との間に形成される空間部に押し込むようにして挿入する。挿入時には、カウンターケース２０の下面に設けられた突部２８ｄ（図６（ｄ）参照）に、前板３ｃの上部３３３の凹部３３８（図５（ａ）参照）が係合して前板３ｃの挿入が案内され、スムーズな挿入が実現される。
【００６５】
その後、左右フレーム２ａ，２ｂの当接面６ａ３，６ｂ３（図４参照）に、前板３ｃの支持部３３２ａ，３３２ｂの当接部３３６ａ，３３６ｂ（図４参照）がそれぞれ当接する位置まで、前板３ｃを挿入する。そうすると、カウンターケース２０の前端片２８ｃ，２８ｃ（図６（ｄ）参照）が、前板３ｃの上部３３３の縁部内面３３５ｄ（図５（ａ）参照）に係止され、これとともに、延出部３１ａ，３１ｂの係合片３４ａ，３４ｂ（図４、図７（ｃ）参照）が、上部３３３の縁部内面３３３ａ，３３３ａ（図５（ａ）参照）にそれぞれ係止される。
さらに、カウンターケース２０の係止溝２８ｅ，２８ｅ（図６（ｄ）参照）に、前板３ｃの左右一対のフック部３３４，３３４（図５（ａ）参照）が係止され、これによって、装着部２８に上部３３３が装着される。
【００６６】
装着部２８に上部３３３が装着された状態で、延出部３１ａ，３１ｂの傾斜部３５ａ，３５ｂ（図４参照）の内側側方には、前板３ｃの支持部３３２ａ，３３２ｂが位置してそれぞれ接続されるようになっている（図２（ａ）（ｂ）参照）。
前板３ｃの装着後、図４に示すように、前フレーム２ｃのリブ２ｃ３のねじ孔２ｃ４，２ｃ４を通じてねじ２ｃ５，２ｃ５を挿通し、これを前板３ｃの下部３３１のボス部３３１ｃ，３３１ｃにそれぞれ螺合する。これによって、前フレーム２ｃに前板３ｃが固定される。
これにより、フレーム２に側板３が固定され、フレーム２と側板３との間にカウンターケース２０がねじ等の固定手段を用いることなく挟持されて固定される。
【００６７】
ここで、カウンターケース２０は、図１（ｂ）において破線の矢印で示すように、延出部３１ａ，３１ｂにより左右方向から挟持されるとともに、図２（ａ）（ｂ）において破線の矢印で示すように、鍔部３２ａ，３２ｂの係止によってフレーム２との間に上方向および前方向から抑えられ、さらに、図５（ｄ）において破線の矢印で示すように、前板３ｃの装着により鍔部３２ａ，３２ｂとの間に（延出部３１ａ，３１ｂとの間に）、前方斜め下方向から抑えられる。
つまり、カウンターケース２０は、フレーム２、延出部３１ａ，３１ｂ（左右側板３ａ，３ｂ）および前板３ｃで囲われる収容空間内に、ねじ等の固定手段を用いずに収容され、延出部３１ａ，３１ｂの間から抜ける方向に移動することが、規制された状態に固定される。
【００６８】
以上説明した本実施形態の魚釣用リールによれば、延出部３１ａ，３１ｂは、左右フレーム２ａ，２ｂに取り付けられる部分からカウンターケース２０の左右外側面２４ａ，２４ｂに向けて延出しており、カウンターケース２０は、延出部３１ａ，３１ｂの間に包持され、規制部材としての前板３ｃによりこれらの間が離間する方向に拡がるのを規制されて固定されているので、ねじ等の固定手段を用いてカウンターケース２０がフレーム２等に固定されるものに比べて、取付構造の自由度が制限され難くなり、フレーム２にカウンターケース２０が載置される魚釣用リールにおいて、外観の自由度やデザインの自由度を高めることができる。
【００６９】
また、前板３ｃの装着により、左右側板３ａ，３ｂの延出部３１ａ，３１ｂの間が、離間する方向に拡がることが規制されているので、例えば、カウンターケース２０と左右側板３ａ，３ｂとの間等の部材間に、隙間が生じたりすることを好適に防止することができるようになり、組付性も損なわれることがない。したがって、生産性が高まるとともに、高品位の魚釣用リールを製造することができる。つまり、左右側板３ａ，３ｂ等の寸法精度が高精度でなくても、前板３ｃの装着によって、隙間を生じることなくカウンターケース２０を挟持することが可能となる。これにより、ガタツキ等を排除して保持強度を高めることが可能とり、高品位の魚釣用リールが得られる。
また、前板３ｃの装着によって、隙間を生じることなくカウンターケース２０を挟持固定することが可能となるので、延出部３１ａ，３１ｂを、例えば、弾性変形可能な部材で形成することによって、カウンターケース２０との密着性を高めることができるようになり、保持性が向上する。また、組付性も高まって生産性も向上するようになる。
【００７０】
さらに、カウンターケース２０の溝部２５ａ，２５ｂに係止される鍔部３２ａ，３２ｂを、延出部３１ａ，３１ｂに対して形成することで、カウンターケース２０の抜け止めを規制する抜け止め規制部を簡単に設けることができるので、外観の自由度やデザインの自由度を高めつつ、延出部３１ａ，３１ｂの間からカウンターケース２０が抜けるのを確実に防止することができる。
また、抜け止めを規制するための構成が簡単であるので、そのためのコストの増加が最小限で済む。また、抜け止めを規制するための特別な設置スペースも必要としないので、全体としてコンパクトな魚釣用リールを実現することができる。
【００７１】
また、前板３ｃが釣糸挿通口Ｓ１の少なくとも一部を覆う指ガード用のカバーとして機能し、釣糸挿通口Ｓ１の前方に指ガード用のカバーを別途設ける必要がなくなるので、部品点数の増加やそれに伴う重量の増大を抑えることができ、さらには、製造工数の増加も抑制することができる。このことはコストの低減に寄与する。
【００７２】
（第２実施形態）
図９を参照して第２実施形態の魚釣用リールについて説明する。本実施形態では、第１実施形態で説明した鍔部３２ａ，３２ｂを設ける代わりに、延出部３１ａ１，３１ｂ１におけるカウンターケース２０との対向面３１ａ’，３１ｂ’を、その上部側に向けて窄まるように傾斜形成して、カウンターケース２０の抜け止めを図る構成としてある。
【００７３】
延出部３１ａ１，３１ｂ１は、図９（ａ）に示すように、カウンターケース２０との対向面３１ａ’，３１ｂ’が、その上部側に向けて窄まるように傾斜形成されており、本実施形態では、対向面３１ａ’，３１ｂ’が、カウンターケース２０に向けて湾曲凹状に形成されている。
カウンターケース２０は、延出部３１ａ１，３１ｂ１の対向面３１ａ’，３１ｂ’に沿う傾斜した外面２４ａ’，２４ｂ’を有しており、本実施形態では、外面２４ａ’，２４ｂ’が対向面３１ａ’，３１ｂ’に密着するように湾曲突状（湾曲アール状）に形成されている。
【００７４】
本実施形態では、延出部３１ａ１，３１ｂ１が、カウンターケース２０の左右外側面２４ａ，２４ｂの下部に対して密着することなく、隙間を空けて対向配置されている。つまり、少なくともカウンターケース２０の上部部分において、延出部３１ａ１，３１ｂ１が密着するように構成されている。
このように延出部３１ａ１，３１ｂ１の内面の全てを密着することなく、カウンターケース２０の左右外側面２４ａ，２４ｂの下部に対して意図的に隙間を空けて延出部３１ａ１，３１ｂ１を対向配置することによって、延出部３１ａ１，３１ｂ１やカウンターケース２０の寸法精度の誤差を隙間によって吸収することができるようになり、カウンターケース２０に対する延出部３１ａ１，３１ｂ１の接触圧（挟持圧）のばらつきを抑制することができる。これにより、延出部３１ａ１，３１ｂ１の対向面３１ａ’，３１ｂ’とカウンターケース２０の外面２４ａ’，２４ｂ’との密着性を確保することができる。したがって、延出部３１ａ１，３１ｂ１やカウンターケース２０の寸法精度が高精度でなくても、隙間を生じることなくカウンターケース２０を挟持することが可能となり、ガタツキ等を排除して固定強度を高めることが可能となる。また、密着性を確保することができるので、水分等の侵入を好適に防止することができる。
なお、カウンターケース２０の左右外側面２４ａ，２４ｂの略全体（傾斜した外面２４ａ’，２４ｂ’を含む）に、延出部３１ａ１，３１ｂ１の内面略全体（対向面３１ａ’，３１ｂ’を含む内面略全体）が密着するように構成してもよい。
【００７５】
一方、延出部３１ａ１，３１ｂ１は、図９（ｂ）に示すように、横断面形状が、カウンターケース２０の左右外側面２４ａ，２４ｂに対応して、先端側に向けて窄まるように傾斜形成されている。
なお、図示はしないが、前板３ｃは、第１実施形態と同様の取付構造によって固定されている。
【００７６】
このような構成を有する本実施形態の魚釣用リールによれば、カウンターケース２０に向けて湾曲凹状に形成された延出部３１ａ１，３１ｂ１の対向面３１ａ’，３１ｂ’を、カウンターケース２０の湾曲突状に形成された外面２４ａ’，２４ｂ’に密着させることによって、延出部３１ａ１，３１ｂ１の間にカウンターケース２０を抜け止め状態に挟持固定することができる。これにより、外観の自由度やデザインの自由度を高めつつ、延出部３１ａ，３１ｂの間からカウンターケース２０が抜けるのを確実に防止することができる。
【００７７】
なお、本実施形態では、延出部３１ａ１，３１ｂ１の対向面３１ａ’，３１ｂ’を湾曲凹状に形成したものを示したが、これに限られることはなく、直線傾斜状に形成してもよい。この場合、カウンターケース２０の外面２４ａ’，２４ｂ’を、延出部３１ａ１，３１ｂ１の対向面３１ａ’，３１ｂ’に沿う直線傾斜状に形成して、対向面３１ａ’，３１ｂ’が密着するように構成する。このような構成によっても、延出部３１ａ１，３１ｂ１の間にカウンターケース２０を抜け止め状態に挟持することができ、同様の作用効果が得られる。
【００７８】
（第３実施形態）
図１０を参照して第３実施形態の魚釣用リールについて説明する。本実施形態が前記第１，第２実施形態と異なるところは、突出部２４ａ２，２４ｂ２と受部３１ａ３，３１ｂ３との係合によって延出部３１ａ２，３１ｂ２の間にカウンターケース２０を抜け止め挟持した点にある。なお、図示はしないが、前板３ｃは、第１実施形態と同様の取付構造によって固定されている。
【００７９】
延出部３１ａ２，３１ｂ２には、図１０（ａ）（ｂ）に示すように、カウンターケース２０との対向面に、カウンターケース２０に設けられた突出部２４ａ２，２４ｂ２が係合する受部３１ａ３，３１ｂ３が形成されている。ここで、突出部２４ａ２，２４ｂ２は、円柱状を呈しており、カウンターケース２０の左右外側面２４ａ，２４ｂから延出部３１ａ２，３１ｂ２に向けて突出形成されている。受部３１ａ３，３１ｂ３は、突出部２４ａ２，２４ｂ２に対応する位置に設けられており、突出部２４ａ２，２４ｂ２が係合される大きさを備えた有底の丸穴状とされている。
【００８０】
なお、図１０（ａ）（ｂ）においては、延出部３１ａ２，３１ｂ２およびカウンターケース２０の左右外側面２４ａ，２４ｂが、断面鉛直状とされたものを示したが、これに限られることはなく、断面傾斜状、断面湾曲傾斜状とされたものであってもよい。
【００８１】
このような構成を有する本実施形態の魚釣用リールによれば、延出部３１ａ２，３１ｂ２におけるカウンターケース２０との対向面に、カウンターケース２０に設けられた突出部２４ａ２，２４ｂ２が係合する受部３１ａ３，３１ｂ３を形成することで、抜け止め規制部を簡単に設けることができるので、外観の自由度やデザインの自由度を高めつつ、両方の延出部３１ａ２，３１ｂ２の間からカウンターケース２０が抜けるのを確実に防止することができる。
【００８２】
なお、本実施形態では、延出部３１ａ２，３１ｂ２にカウンターケース２０の突出部２４ａ２，２４ｂ２が係合する受部３１ａ３，３１ｂ３を設けたが、これに限られることはなく、延出部３１ａ２，３１ｂ２に、カウンターケース２０に設けられた受部に係合する突出部を設けてもよい。
【００８３】
また、突出部４２ａ２，４２ｂ２は、円柱状としたものを示したが、これに限られることはなく、角柱状や筒状としてもよい。また、設置する個数や配置する位置も任意に設定することができる。
さらに、第２実施形態で説明した傾斜状の構成を本実施形態に組み合わせて構成してもよい。
【００８４】
（第４実施形態）
図１１を参照して第４実施形態の魚釣用リールについて説明する。本実施形態が前記第１〜第３実施形態と異なるところは、延出部３１ａ，３１ｂの前部間に亘るようにして、規制部材として機能する規制バンド３６０を装着した点にある。
【００８５】
規制バンド３６０は、図１１（ｂ）に示すように、横断面が略コ字形状を呈しており、カウンターケース２０の前部を左右方向に横切るようにして、延出部３１ａ，３１ｂ間に装着され（図１１（ａ）（ｂ）参照）、延出部３１ａ，３１ｂ間が離間する方向に拡がるのを規制している。
【００８６】
延出部３１ａの前端部には、図１１（ｂ）に示すように、規制バンド３６０の左側部３６１ａのフック部（係合部）３６２ａが係合される係合受部３１ａ５が形成されており、また、延出部３１ｂの前端部には、規制バンド３６０の右側部３６１ｂのフック部（係合部）３６２ｂが係合される係合受部３１ｂ５が形成されている。
カウンターケース２０には、延出部３１ａの係合受部３１ａ５を収容する凹部２４ａ５が形成されており、また、延出部３１ｂの係合受部３１ｂ５を収容する凹部２４ｂ５が形成されている。
また、カウンターケース２０の前端部には、規制バンド３６０が収容される収容溝２０ｆが形成されている。
【００８７】
このような構成を有する本実施形態の魚釣用リールによれば、延出部３１ａ，３１ｂの前部間に亘るようにして、規制バンド３６０を簡単に装着することができ、組み付けが簡単で生産性の向上に寄与する。また、簡単な固定構造であるので、外観の自由度やデザインの自由度を高めつつ、延出部３１ａ，３１ｂの間からカウンターケース２０が抜けるのを確実に防止することができる。
また、抜け止めを規制するための構成が簡単であるので、そのためのコストの増加が最小限で済む。
また、収容溝２０ｆに規制バンド３６０が収容されて装着されるので、延出部３１ａ，３１ｂに対してカウンターケース２０が上下方向に変位するのを好適に抑えることができる。
なお、本実施形態では、前記第１実施形態で説明した前板３ｃは必ずしも設けなくてもよい。
【００８８】
前記各実施形態においては、例えば第１実施形態のものを例にとると、延出部３１ａ，３１ｂが、左右側板３ａ，３ｂの両方に備えられ、両方の延出部３１ａ，３１ｂの間にカウンターケース２０が挟持される構成をそれぞれ示したが、これに限られることはなく、左右側板３ａ，３ｂの一方に備えられた延出部３１ａ（または３１ｂ）と他方の右側板３ｂ（３ａ）との間にカウンターケース２０を挟持するように構成して、前板３ｃや規制バンド３６０によってこれらの間が離間する方向に拡がるのを規制するように構成してもよい。この場合にも前記した作用効果と同様の作用効果が得られる。
【００８９】
また前記第１実施形態において、鍔部３２ａ，３２ｂは、延出部３１ａ，３１ｂの上縁部３２ａ１，３２ｂ１および前縁部３２ａ２，３２ｂ２に亘って連続形成されたものを示したが、これに限られることはなく、非連続に形成されたものであってもよい。また、同様に、溝部２５ａ，２５ｂも連続形成されたものを示したが、鍔部３２ａ，３２ｂに対応して、非連続に形成されたものとしてもよい。
【００９０】
また、前記各実施形態では、延出部３１ａ，３１ｂ（３１ａ１，３１ｂ１等）の間に、カウンターケース２０の左右外側面２４ａ，２４ｂの略全体が覆われるように包持されるものを示したが、これに限られることはなく、カウンターケース２０の左右外側面２４ａ，２４ｂの一部が覆われるように包持される（左右外側面２４ａ，２４ｂの一部が露出するように包持される）構成としてもよい。
【符号の説明】
【００９１】
１      リール本体                  ２０    カウンターケース（表示手段）
２      フレーム                    ３１ａ，３１ｂ  延出部
２ａ    左フレーム                  ３２ａ，３２ｂ  鍔部
２ｂ    右フレーム                  ２４ａ２，２４ｂ２  突出部
２ｃ    前フレーム                  ３１ａ３，３１ｂ３  受部
３      側板                        Ｓ１    釣糸挿通口
３ａ    左側板
３ｂ    右側板
３ｃ    前板（規制部材）
【図１】
0005588937.tif 000002
【図２】
0005588937.tif 000003
【図３】
0005588937.tif 000004
【図４】
0005588937.tif 000005
【図５】
0005588937.tif 000006
【図６】
0005588937.tif 000007
【図７】
0005588937.tif 000008
【図８】
0005588937.tif 000009
【図９】
0005588937.tif 000010
【図１０】
0005588937.tif 000011
【図１１】
0005588937.tif 000012